(57)【特許請求の範囲】
【請求項１】
電線を保持するためのクランプ部を有する合成樹脂部品と、
回路基板に設けられた穴に差し込まれるリード部を有する金属部品とを連結して構成される電線保持具において、
前記合成樹脂部品には、奥壁と、該奥壁に連接された上壁と、該上壁に対面し前記奥壁に連接された下壁とを備える溝状の嵌着凹部が設けられ、
金属部品には、前記嵌着凹部に嵌合する嵌合部が前記リード部に連設して設けられ、
前記嵌着凹部には前記嵌合部を嵌合させた際に前記リード部を突出させるための第１開放部が前記下壁側に設けられ、
前記嵌着凹部の両端は、前記リード部を前記第１開放部から突出させる姿勢から前記奥壁の延長面に沿って設定角度回転させた姿勢で、前記嵌合部を嵌合させた際に前記リード部を突出させるための第２開放部として開放されている
ことを特徴とする電線保持具。
【請求項２】
前記設定角度は９０°であることを特徴とする請求項１記載の電線保持具。
【発明の詳細な説明】
【技術分野】
【０００１】
本発明は、回路基板に実装されて電線を保持する電線保持具の技術分野に属する。
【背景技術】
【０００２】
電子機器内には多数の電線（ワイヤ、ケーブル）が配線されており、回路基板上に配線されることも多い。その回路基板上に配線される電線の経路を定めるために、電線保持具が使用される。一例として、特開２００４−２４７３５７号公報（特許文献１）に記載のテーピングワイヤクリップがある。
【０００３】
特許文献１のテーピングワイヤクリップは、電線を保持するためのクランプ部を有する合成樹脂部品と、回路基板に設けられた穴に差し込まれるリード部を有する金属部品とを連結して構成されている。そして、リード部の２本の脚部の上端部を連設して嵌合部となし、ワイヤクリップ部の基部にはリード部の嵌合部と嵌合する嵌合凹部を設けておき、嵌合部をリード部の長手方向に沿って嵌合凹部に押し込んで嵌合させることで、合成樹脂部品と金属部品とを連結してある。
【特許文献１】特開２００４−２４７３５７号公報
【発明の開示】
【発明が解決しようとする課題】
【０００４】
特許文献１のテーピングワイヤクリップは、上記のように嵌合部をリード部の長手方向に沿って嵌合凹部に押し込んで嵌合させて合成樹脂部品と金属部品とを連結する構造であるため、クランプ部に対するリード部の突出方向が一定していた。このため、クランプ部を横転させた姿勢で回路基板に実装することはできなかった。
【課題を解決するための手段】
【０００５】
請求項１記載の電線保持具は、
電線を保持するためのクランプ部を有する合成樹脂部品と、
回路基板に設けられた穴に差し込まれるリード部を有する金属部品とを連結して構成される電線保持具において、
前記合成樹脂部品には、奥壁と、該奥壁に連接された上壁と、該上壁に対面し前記奥壁に連接された下壁とを備える溝状の嵌着凹部が設けられ、
金属部品には、前記嵌着凹部に嵌合する嵌合部が前記リード部に連設して設けられ、
前記嵌着凹部には前記嵌合部を嵌合させた際に前記リード部を突出させるための第１開放部が前記下壁側に設けられ、
前記嵌着凹部の両端は、前記リード部を前記第１開放部から突出させる姿勢から前記奥壁の延長面に沿って設定角度回転させた姿勢で、前記嵌合部を嵌合させた際に前記リード部を突出させるための第２開放部として開放されている
ことを特徴とする。
【０００６】
請求項１記載の電線保持具は、電線を保持するためのクランプ部を有する合成樹脂部品と、回路基板に設けられた穴に差し込まれるリード部を有する金属部品とを連結して構成される。
【０００７】
クランプ部の構造は、特許文献１のテーピングワイヤクリップのように、ワイヤクリップ部の開口部に、電線の押し込み操作により弾性変形して前記電線の押し込みを許容し、前記電線の押し込み後弾性復帰して抜けを阻止する係止爪を備える構成でもよいし、閉鎖環状と開放状態とに可変の構造であってもよく、或いはその他の構造であってもよく、特に限定されない。
【０００８】
合成樹脂部品には、奥壁と、この奥壁に連接された上壁と、この上壁に対面し奥壁に連接された下壁とを備える溝状の嵌着凹部が設けられる。嵌着凹部は奥壁、上壁、下壁の３壁により溝状となるが、例えば中央部で左右に２分割されていてもよい。
【０００９】
金属部品には、嵌着凹部に嵌合する嵌合部がリード部に連設して設けられる。なお、嵌着凹部とリード部とは直接的に連設されている必要はなく、リード部の基部となる部分が介在していてもよい。
【００１０】
嵌合部を嵌着凹部に嵌合させることで合成樹脂部品と金属部品とを連結する。
嵌着凹部の下壁側には、嵌合部を嵌合させた際にリード部を突出（挿通）させるための第１開放部が設けられているので、嵌合部を嵌着凹部に嵌合させると、リード部が第１開放部から突出する。このリード部を回路基板に設けられた穴に差し込んで、例えば噴流半田付けにより固定することで、電線保持具を回路基板に実装できる。
【００１１】
一方、嵌着凹部の両端は第２開放部として開放されており、リード部を第１開放部から突出させる姿勢から奥壁の延長面に沿って設定角度回転させた姿勢で嵌合部を嵌着凹部に嵌合させると、リード部を第２開放部から突出させることができる。この第２開放部から突出したリード部を回路基板に設けられた穴に差し込んで、例えば噴流半田付けにより固定することで、電線保持具を回路基板に実装できる。
【００１２】
第１開放部から突出したリード部を回路基板に設けられた穴に差し込んで電線保持具を回路基板に実装した場合のクランプ部の姿勢を正立とすれば、第２開放部から突出したリード部にて実装した場合のクランプ部は横転した姿勢となる。即ち、リード部を第１開放部から突出させるか第２開放部から突出させるかによって、クランプ部を正立又は横転させた姿勢で回路基板に実装することができる。
【００１３】
前記の設定角度は、請求項２記載のように９０°に設定するとよいが、正確に９０°でなくても上記の効果が得られるから、その限りにおいて設定角度は制限されない。
【発明を実施するための最良の形態】
【００１４】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例の電線保持具１は、合成樹脂の成形品である合成樹脂部品２と板金のプレス加工品である金属部品３とで構成されている。
【００１５】
合成樹脂部品２に設けられたクランプ部４は、対面配置された側壁５、６、それらの下端部間に横設された基部７、ヒンジ８を介して側壁５の上端部に連設された可動部９、可動部９の先端部に設けられたＵ字状の係止部１０、側壁６に連設されたボックス１１等を備えている。
【００１６】
図示する開放状態では、側壁５、６及び基部７にてコの字状の構造が形成されていて、可動部９（係止部１０）と側壁６（ボックス１１）の間は開かれている。
一方、可動部９をヒンジ８にて屈曲させて係止部１０をボックス１１内に挿し込むと、係止部１０の段差部１２がボックス１１の係止突起１３に係止されて係止部１０がボックス１１に拘束されるので、略矩形の閉鎖環を形成する。この閉鎖環にて電線（ワイヤ、ケーブル）を保持することができる。
【００１７】
基部７には、合成樹脂部品２を金属部品３と連結するための構造が設けられている。
すなわち、上記のコの字状の構造又は閉鎖環にあって床に相当する部分を上壁１５となし、その奥側に連設されて下方に延出された奥壁１６、上壁１５に対面し奥壁１６の下端部に連接された下壁１７からなる溝状の嵌着凹部１８が設けられている。
【００１８】
嵌着凹部１８は、中央部の狭隘部にて左右２部分に分かれ、それぞれ奥壁１６に嵌着ピン１９が立設されている。
一方、下壁１７の左右には端壁２１が設けられ、下壁１７と端壁２１との間に第１開放部２２が形成されている。また、端壁２１と上壁１５との間（嵌着凹部１８の両端）は、第２開放部２３として開放されている。
【００１９】
金属部品３は、一対の主嵌合部２４、主嵌合部２４間をつなぐ中継部２５、各主嵌合部２４に連設されたリード部２６を備えている。
主嵌合部２４の上下幅は、ほぼ嵌着凹部１８の内法（上壁１５と下壁１７、端壁２１との間隔）に等しく、嵌着凹部１８に嵌合する。
【００２０】
主嵌合部２４の上下縁からは抜け防止片２７が延出されており、主嵌合部２４を嵌着凹部１８に嵌合させると、抜け防止片２７が上壁１５、下壁１７、端壁２１に食い込み状になり、主嵌合部２４の抜けを防止する。
【００２１】
また、主嵌合部２４には、嵌着ピン１９に対応してピン穴２８が設けられており、主嵌合部２４を嵌着凹部１８に嵌合させると、嵌着ピン１９がピン穴２８に嵌合する。
さらに、主嵌合部２４の端部はほぼ直角に折り曲げられて横嵌部２９とされている。この横嵌部２９は、主嵌合部２４を嵌着凹部１８に嵌合させると、上壁１５と端壁２１との間にはまり込む。
【００２２】
リード部２６は副嵌合部３０を介して主嵌合部２４に連設されており、主嵌合部２４を嵌着凹部１８に嵌合させると、副嵌合部３０が第１開放部２２に嵌合する。
なお、金属部品３には、リード部２６に連設してテープ貼着部３１が設けられている。図６に示すように、このテープ貼着部３１は、実装機のためのテープ台紙４１に粘着テープ４２で電線保持具１を貼着するために使用される。なお、図６では粘着テープ４２を明瞭に示すためにハッチングを施してあり、またリード部２６〜テープ貼着部３１の状態を示すために透視図にしてある。そして、実装時には、リード部２６が適宜の長さ（例えば図１に仮想線で示すあたり）で切断され、テープ貼着部３１とは分離される。
【００２３】
こうした構成であるので、電線保持具１は、第１開放部２２から突出したリード部２６を回路基板に設けられた穴に差し込んで、噴流半田付けにより固定することで回路基板に実装できる。
【００２４】
また、この電線保持具１には第２開放部２３が設けられているために、横嵌部２９を奥壁１６の端面に接した状態で上壁１５と端壁２１との間にはまり込ませることができる。この横嵌部２９は、金属部品３がぐらついたり、リード部２６が傾いたりするのを防止する。つまり、リード部２６の突出方向を正確にし、また合成樹脂部品２と金属部品３との連結を確実にする。
［１本脚での使用例１］
上述した構成であるため、図２に示すように、主嵌合部２４、副嵌合部３０及びリード部２６を１つずつ備える金属部品３ａを用いても、合成樹脂部品２と金属部品３ａとの連結は確実であり、リード部２６の突出方向も正確に維持される。
【００２５】
これにより、回路基板の縁部付近で２本のリード部２６を固定するだけのスペースがない部分においても、１本のリード部２６にて回路基板に実装できる。
［１本脚での使用例２］
また、第２開放部２３が設けられているので、図３に示す態様も可能である。
図３の金属部品３ｂは、図２の金属部品３ａと同様に主嵌合部２４、副嵌合部３０及びリード部２６を１つずつ備える構造である。
【００２６】
但し、取り付けの姿勢（リード部２６の突出方向）が異なるため、主嵌合部２４の一部が第１開放部２２に嵌合し、横嵌部２９は下壁１７の外面に接している。そして、主嵌合部２４の残部と副嵌合部３０が嵌着凹部１８に嵌合し、リード部２６は第２開放部２３から突出している。つまり、図２の場合とは、リード部２６の突出方向が９０°変更されている。
【００２７】
この例も１本のリード部２６にて回路基板に実装できるのは図２と同様であるが、図２の場合のクランプ部４の姿勢を正立とすれば、リード部２６を第２開放部２３から突出させる図３の態様ではクランプ部４は横転した姿勢となる。
【００２８】
即ち、リード部２６を第１開放部２２から突出させるか第２開放部２３から突出させるかによって、クランプ部４を正立又は横転させた姿勢で回路基板に実装することができる。
［変形例１］
図４、図５に示すように、中継部２５を廃止して、２つの主嵌合部２４を分離した構成にしてもよい。
［変形例２］
また、図４に示すように、嵌着ピン１９を廃止してもよい。この場合、ピン穴２８があっても不都合ではないが、図４に示すようにピン穴２８も廃止できる。
［変形例３］
或いは、図５に示すように端壁２１を廃止してもよい。この場合、第１開放部２２と第２開放部２３とが連通状態になるが、主嵌合部２４の嵌着凹部１８への嵌合に支障はない。
【図面の簡単な説明】
【００２９】
【図１】実施例の電線保持具の説明図であり、合成樹脂部品の正面図（ａ）、金属部品の正面図（ｂ）、電線保持具の背面図（ｃ）、電線保持具の斜視図（ｄ）、電線保持具の平面図（ｅ）、電線保持具の左側面図（ｆ）、電線保持具の正面図（ｇ）、電線保持具の右側面図（ｈ）、電線保持具の底面図（ｉ）。
【図２】電線保持具の１本脚での使用例１の説明図であり、電線保持具の背面図（ａ）、電線保持具の斜視図（ｂ）、電線保持具の平面図（ｃ）、電線保持具の左側面図（ｄ）、電線保持具の正面図（ｅ）、電線保持具の右側面図（ｆ）、電線保持具の底面図（ｇ）。
【図３】電線保持具の１本脚での使用例２の説明図であり、電線保持具の背面図（ａ）、電線保持具の斜視図（ｂ）、電線保持具の平面図（ｃ）、電線保持具の左側面図（ｄ）、電線保持具の正面図（ｅ）、電線保持具の右側面図（ｆ）、電線保持具の底面図（ｇ）。
【図４】変形例１、２の電線保持具の説明図であり、電線保持具の背面図（ａ）、電線保持具の斜視図（ｂ）、電線保持具の平面図（ｃ）、電線保持具の左側面図（ｄ）、電線保持具の正面図（ｅ）、電線保持具の右側面図（ｆ）、電線保持具の底面図（ｇ）。
【図５】変形例１、３の電線保持具の説明図であり、電線保持具の背面図（ａ）、電線保持具の斜視図（ｂ）、電線保持具の平面図（ｃ）、電線保持具の左側面図（ｄ）、電線保持具の正面図（ｅ）、電線保持具の右側面図（ｆ）、電線保持具の底面図（ｇ）。
【図６】電線保持具をテープ台紙に貼着した状態の説明図。
【符号の説明】
【００３０】
１・・・電線保持具、
２・・・合成樹脂部品、
３・・・金属部品、３ａ・・・金属部品、３ｂ・・・金属部品、
４・・・クランプ部、
５・・・側壁、６・・・側壁、
７・・・基部、
８・・・ヒンジ、
９・・・可動部、
１０・・・係止部、
１１・・・ボックス、
１２・・・段差部、
１３・・・係止突起、
１５・・・上壁、
１６・・・奥壁、
１７・・・下壁、
１８・・・嵌着凹部、
１９・・・嵌着ピン、
２１・・・端壁、
２２・・・第１開放部、
２３・・・第２開放部、
２４・・・主嵌合部、
２５・・・中継部、
２６・・・リード部、
２７・・・抜け防止片、
２８・・・ピン穴、
２９・・・横嵌部、
３０・・・副嵌合部、
３１・・・テープ貼着部。
【図１】
0004717039.tif 000002
【図２】
0004717039.tif 000003
【図３】
0004717039.tif 000004
【図４】
0004717039.tif 000005
【図５】
0004717039.tif 000006
【図６】
0004717039.tif 000007